(57)【要約】      （修正有）【課題】自由にバンド駒の材質や色彩を選択して組み合わせることができるバンドを提供する。【解決手段】連結ピン２によって順次連結されるバンド駒１が本体駒３と連結駒４とを有し、これら本体駒３と連結駒４とは、連結ピン２が挿入するピン挿入孔３ａが設けられた本体上駒片１０および連結上駒片１５と、これらの下部に取り付けられる本体下駒片１１および連結下駒片１６とを有し、これらを連結ピン２によって連結する際に、その連結ピン２によって各上駒片１０、１５と各下駒片１１、１６とを連結して固定する各連結固定部２０、２１を備えている。従って、各連結固定部２０、２１によって各上駒片１０、１５と各下駒片１１、１６とを確実に連結固定してバンド駒１の本体駒３と連結駒４とを形成することができるので、各上駒片１０、１５と各下駒片１１、１６との材質や色彩を自由に選択できる。【選択図】図８
2015029806.tif 000002
【特許請求の範囲】
【請求項１】
バンド駒同士を連結ピンによって順次連結してなるバンドにおいて、
前記バンド駒は、前記連結ピンが挿入するピン挿入孔が前記バンド駒の連結方向に対して直交する方向に貫通して設けられた上駒片と、この上駒片の下部に取り付けられる下駒片とを有し、
前記上駒片と前記下駒片とは、前記バンド駒同士を前記連結ピンによって連結する際に、当該連結ピンによって前記上駒片と前記下駒片とを連結して固定する連結固定部を備えていることを特徴とするバンド。
【請求項２】
請求項１に記載のバンドにおいて、前記連結固定部は、前記上駒片に設けられ、前記ピン挿入孔に対して直交する状態で交差する複数の嵌合穴と、前記下駒片に設けられて前記複数の嵌合穴にそれぞれ嵌合する複数の嵌合突起部と、これら複数の嵌合突起部における前記ピン挿入孔に対応する個所にそれぞれ設けられて前記連結ピンを係止する複数の係止部とを備えていることを特徴とするバンド。
【請求項３】
請求項２に記載のバンドにおいて、前記複数の嵌合穴は、前記ピン挿入孔の軸中心に対して偏った位置で、前記ピン挿入孔に交差した状態で設けられており、前記複数の係止部は、前記連結ピンの一部が挿入する切欠き部であることを特徴とするバンド。
【請求項４】
請求項１〜請求項３のいずれかに記載のバンドにおいて、前記上駒片は金属で形成され、前記下駒片は合成樹脂で形成されていることを特徴とするバンド。
【請求項５】
請求項１〜請求項４のいずれかに記載のバンドにおいて、前記バンド駒は、その連結方向に位置する両側に駒装着部が設けられた本体駒と、この本体駒の一方に位置する駒装着部およびこれに隣接する他の本体駒の他方に位置する前記駒装着部の間に配置される連結駒とを有し、前記本体駒と前記連結駒とはそれぞれ前記上駒片と前記下駒片とからなり、前記本体駒と前記連結駒とが前記連結ピンによって順次連結されていることを特徴とするバンド。
【請求項６】
請求項１〜請求項４のいずれかに記載のバンドにおいて、前記バンド駒は、その連結方向に位置する前記上駒片と前記下駒片との一側部に連結凸部が設けられ、かつ前記上駒片と前記下駒片との他側部にこれに隣接する他の前記バンド駒の前記連結凸部が挿入する連結凹部が設けられ、前記連結凹部にこれと隣接する前記他のバンド駒の前記連結凸部を挿入させた状態で前記連結ピンによって連結されていることを特徴とするバンド。
【発明の詳細な説明】
【技術分野】
【０００１】
この発明は、時計バンドなどのバンドに関する。
【背景技術】
【０００２】
例えば、腕時計に用いられる時計バンドにおいては、特許文献１に記載されているように、一対の側壁部を連結する連結部の両側に駒装着凹部が形成された駒本体と、この駒本体の駒装着凹部およびこれに隣接する他の駒本体の駒装着凹部の間に配置される連結駒と、この連結駒を駒本体に連結するピン部材とを備えた構成のものが知られている。
【先行技術文献】
【特許文献】
【０００３】
【特許文献１】特開２０１２−６５７５６号公報
【発明の概要】
【発明が解決しようとする課題】
【０００４】
このような時計バンドでは、駒本体と連結駒とをそれぞれ個別に製作してピン部材によって順次連結する構成あるから、駒本体と連結駒との一方を金属、他方を合成樹脂で形成するか、あるいはその両方を金属または合成樹脂で形成する必要があるため、駒本体および連結駒の材質や色彩が製作時に限定されてしまい、自由に材質や色彩を選択することができないという問題がある。
【０００５】
このような不都合を解消するために、例えば駒本体および連結駒をそれぞれ個別にインサート成型によって金属と合成樹脂とを組み合わせて、材質や色彩のバリエーションをもたせた構成のものも考えられているが、このような構成のものでは、そのインサート成型時に材質や色彩が限定されてしまい、自由に材質や色彩を選択して組み合わせることができないという問題がある。
【０００６】
この発明が解決しようとする課題は、材質や色彩のバリエーションが豊富で、自由にバンド駒の材質や色彩を選択して組み合わせることができるバンドを提供することである。
【課題を解決するための手段】
【０００７】
この発明は、バンド駒同士を連結ピンによって順次連結してなるバンドにおいて、前記バンド駒は、前記連結ピンが挿入するピン挿入孔が前記バンド駒の連結方向に対して直交する方向に貫通して設けられた上駒片と、この上駒片の下部に取り付けられる下駒片とを有し、前記上駒片と前記下駒片とは、前記バンド駒同士を前記連結ピンによって連結する際に、当該連結ピンによって前記上駒片と前記下駒片とを連結して固定する連結固定部を備えていることを特徴とするバンドである。
【発明の効果】
【０００８】
この発明によれば、バンド駒同士を順次連結ピンで連結する際に、連結固定部によって上駒片と下駒片とを確実に連結固定してバンド駒を形成することができるので、バンド駒を順次連結ピンで連結する際に、上駒片の材質と下駒片の材質とを自由に選択することができ、これによりバンド駒の材質および色彩を自由に組み合わせることができるので、材質や色彩のバリエーションが豊富になる。
【図面の簡単な説明】
【０００９】
【図１】この発明を時計バンドに適用した第１実施形態を示し、（ａ）はその要部の拡大正面図、（ｂ）はその拡大側面図である。
【図２】図１（ａ）および図１（ｂ）に示された時計バンドのバンド駒を分解して示した拡大斜視図である。
【図３】図２に示されたバンド駒における本体駒の本体上駒片を示し、（ａ）はその拡大平面図、（ｂ）はその一部を破断した拡大側面図、（ｃ）はその拡大裏面図である。
【図４】図２に示されたバンド駒における本体駒の本体下駒片を示し、（ａ）はその拡大平面図、（ｂ）はその拡大側面図、（ｃ）はその拡大裏面図である。
【図５】図２に示されたバンド駒における連結駒の連結上駒片を示し、（ａ）はその拡大平面図、（ｂ）はその一部を破断した拡大側面図、（ｃ）はその拡大裏面図である。
【図６】図２に示されたバンド駒における連結駒の連結下駒片を示し、（ａ）はその拡大平面図、（ｂ）はその拡大側面図、（ｃ）はその拡大裏面図である。
【図７】図１（ａ）に示された時計バンドのＡ−Ａ矢視における要部を示した拡大断面図である。
【図８】図１（ａ）に示された時計バンドのＢ−Ｂ矢視における要部を示した拡大断面図である。
【図９】図１（ｂ）に示された時計バンドのＣ−Ｃ矢視における要部を示した拡大断面図である。
【図１０】この発明を時計バンドに適用した第２実施形態を示し、（ａ）はその要部の拡大正面図、（ｂ）はその拡大側面図である。
【図１１】図１０（ａ）および図１０（ｂ）に示された時計バンドのバンド駒を分解して示した拡大斜視図である。
【図１２】図１１に示されたバンド駒の上駒片を示し、（ａ）はその拡大平面図、（ｂ）はその一部を破断した拡大側面図、（ｃ）はその拡大裏面図である。
【図１３】図１１に示されたバンド駒の下駒片を示し、（ａ）はその拡大平面図、（ｂ）はその拡大側面図、（ｃ）はその拡大裏面図である。
【図１４】図１０（ａ）に示された時計バンドのＤ−Ｄ矢視における要部を示した拡大断面図である。
【図１５】図１０（ａ）に示された時計バンドのＥ−Ｅ矢視における要部を示した拡大断面図である。
【図１６】図１０（ｂ）に示された時計バンドのＦ−Ｆ矢視における要部を示した拡大断面図である。
【図１７】この発明を時計バンドに適用した第１変形例を示し、（ａ）はそのバンド駒の下駒片を示した拡大平面図、（ｂ）そのＧ−Ｇ矢視における拡大断面図である。
【図１８】この発明を時計バンドに適用した第２変形例を示し、（ａ）はそのバンド駒の下駒片を示した拡大平面図、（ｂ）そのＨ−Ｈ矢視における拡大断面図である。
【図１９】この発明を時計バンドに適用した第３変形例を示し、（ａ）はそのバンド駒の下駒片を示した拡大平面図、（ｂ）そのＩ−Ｉ矢視における拡大断面図である。
【発明を実施するための形態】
【００１０】
（第１実施形態）
以下、図１〜図９を参照して、この発明を時計バンドに適用した第１実施形態について説明する。
この時計バンドは、腕時計ケース（図示せず）に取り付けられて腕に装着されるものであり、図１および図２に示すように、複数のバンド駒１が連結ピン２によって順次連結された構成になっている。
【００１１】
バンド駒１は、図１および図２に示すように、本体駒３と連結駒４とを有している。本体駒３は、バンド駒１の連結方向であるバンド長手方向に対して直交するバンド幅方向に互いに対向する一対の側壁部５と、これら一対の側壁部５を連結する連結部６とを有し、全体が平面的に見てエ字形状に形成されている。
【００１２】
これにより、バンド駒１の連結方向に位置する本体駒３の両側には、図１および図２に示すように、駒装着凹部７、８が連結部６を挟んで形成されている。また、この本体駒３の各駒装着凹部７、８に対応する一対の側壁部５には、連結ピン２が挿入するピン挿入孔３ａ、３ｂがそれぞれバンド長手方向に対して直交するバンド幅方向に貫通して設けられている。
【００１３】
連結駒４は、図１および図２に示すように、バンド長手方向に対して直交するバンド幅方向に長い長方形状の板状に形成されている。この連結駒４は、本体駒３の一方の駒装着凹部７とこれに隣接する他の本体駒３の他方の駒装着凹部８との間に、その両方に跨った状態で配置されるように構成されている。
【００１４】
この連結部４のバンド駒１の連結方向に位置する両側部には、図１および図２に示すように、連結ピン２が挿入するピン挿入孔４ａ、４ｂがそれぞれバンド長手方向に対して直交するバンド幅方向に貫通して設けられている。また、この連結部４の各ピン挿入孔４ａ、４ｂ内には、抜止めパイプ９がそれぞれ挿入されている。この抜止めパイプ９は、断面Ｃ字形状に形成され、その内部に連結ピン２を挟み付けるように構成されている。
【００１５】
これにより、バンド駒１は、図１、図２および図７に示すように、本体駒３の一方の駒装着凹部７に連結駒４の一側部を配置して、本体駒３のピン挿入孔３ａに連結駒４のピン挿入孔４ａを同一軸上に対応させ、この状態で連結ピン２を本体駒３の一方のピン挿入孔３ａから連結駒４のピン挿入孔４ａに挿入させて、本体駒３の他方のピン挿入孔３ａに挿入させることにより、本体駒３と連結駒４とが連結されるように構成されている。
【００１６】
この場合、バンド駒１は、図２および図９に示すように、連結部４の各ピン挿入孔４ａ、４ｂ内に嵌め込まれた抜止めパイプ９に連結ピン２が挿入されて挟み付けられることにより、連結駒４のピン挿入孔４ａおよび本体駒３の両側のピン挿入孔３ａに連続して挿入された連結ピン２が固定されて抜け出さないように構成されている。
【００１７】
また、このバンド駒１は、図１、図２および図７に示すように、本体駒３の一方の駒装着凹部７に連結された連結駒４の他側部を、これに隣接する他の本体駒３の他方の駒装着凹部８に配置して、連結ピン２を他の本体駒３の一方のピン挿入孔３ｂから連結駒４のピン挿入孔４ｂに挿入させて、他の本体駒３の他方のピン挿入孔３ｂに挿入させることにより、本体駒３に連結された連結駒４とこれに隣接する他の本体駒３とが連結されるように構成されている。これにより、バンド駒１は順次連結されるように構成されている。
【００１８】
ところで、本体駒３は、図２に示すように、ステンレスなどの金属からなる本体上駒片１０と、ウレタン樹脂などの軟質の合成樹脂からなる本体下駒片１１とを有している。この本体駒３は、バンド駒１同士を連結ピン２によって連結する際に、本体上駒片１０と本体下駒片１１とが連結ピン２によって本体上駒片１０と本体下駒片１１とを連結して固定する後述する連結固定部２０を備えている。
【００１９】
すなわち、本体上駒片１０は、図３（ａ）〜図３（ｃ）に示すように、その形状が本体駒３と同じ形状で、その厚みが本体駒３よりも薄く形成されている。この本体上駒片１０における一対の側壁部５に対応する個所には、連結ピン２がそれぞれ挿入するピン挿入孔３ａ、３ｂが設けられている。
【００２０】
また、この本体上駒片１０における一対の側壁部５に対応する個所には、図３（ｂ）および図３（ｃ）に示すように、複数の嵌合穴１２がそれぞれピン挿入孔３ａ、３ｂに対して偏った位置で、かつピン挿入孔３ａ、３ｂに対して直交する状態で交差して設けられている。すなわち、複数の嵌合穴１２は、本体上駒片１０の下面から各ピン挿入孔３ａ、３ｂに向けて垂直に形成されている。
【００２１】
この場合、複数の嵌合穴１２は、図３（ｂ）に示すように、その中心軸が各ピン挿入孔３ａ、３ｂの中心軸からずれた状態で、各ピン挿入孔３ａ、３ｂに交差するように形成されている。これにより、複数の嵌合穴１２は、その一部が各ピン挿入孔３ａ、３ｂの各半分程度に食い込むように形成されている。また、これら複数の嵌合穴１２は、本体上駒片１０の上面に突き抜けないように形成されている。
【００２２】
一方、本体下駒片１１は、図４（ａ）〜図４（ｃ）に示すように、その形状が本体駒３と同じ形状で、その厚みが本体上駒片１０よりも薄く形成されている。この本体下駒片１１における一対の側壁部５に対応する個所の上面には、本体上駒片１０の各嵌合穴１２にそれぞれ嵌合する複数の嵌合突起部１３が上方に突出して形成されている。これら複数の嵌合突起部１３は、それぞれ円柱状に形成されている。
【００２３】
また、複数の嵌合突起部１３の外周面には、図４（ａ）〜図４（ｃ）に示すように、複数の係止凹部１４が各ピン挿入孔３ａ、３ｂにそれぞれ対応して設けられている。すなわち、複数の係止凹部１４は、半円形状の切欠き溝であり、図８および図９に示すように、複数の嵌合突起部１３が本体上駒片１０の各嵌合穴１２にそれぞれ嵌合した際に、本体上駒片１０の各ピン挿入孔３ａ、３ｂに対応するように構成されている。
【００２４】
このため、これら複数の係止凹部１４は、図８および図９に示すように、複数の嵌合突起部１３が本体上駒片１０の各嵌合穴１２にそれぞれ嵌合した状態で、本体上駒片１０の各ピン挿入孔３ａ、３ｂに連結ピン２が挿入された際に、この連結ピン２を係止するように構成されている。これにより、本体駒３は、本体上駒片１０の各ピン挿入孔３ａ、３ｂに挿入された連結ピン２によって、本体上駒片１０と本体下駒片１１とが一体的に連結されて固定されるように構成されている。
【００２５】
このように、本体駒３の連結固定部２０は、図８および図９に示すように、本体上駒片１０に設けられ、ピン挿入孔３ａ、３ｂに対して直交する状態で交差する複数の嵌合穴１２と、本体下駒片１１に設けられて複数の嵌合穴１２にそれぞれ嵌合する複数の嵌合突起部１３と、これら複数の嵌合突起部１３におけるピン挿入孔３ａ、３ｂに対応する個所にそれぞれ設けられて連結ピン２を係止する複数の係止凹部１５とで構成されている。
【００２６】
同様に、連結駒４は、図２に示すように、ステンレスなどの金属からなる連結上駒片１５と、ウレタン樹脂などの軟質の合成樹脂からなる連結下駒片１６とを有している。この連結駒４は、バンド駒１同士を連結ピン２によって連結する際に、連結上駒片１５と連結下駒片１６とが連結ピン２によって連結上駒片１５と連結下駒片１６とを連結して固定する後述する連結固定部２１を備えている。
【００２７】
すなわち、連結上駒片１５は、図５（ａ）〜図５（ｃ）に示すように、その形状が連結駒４と同じ形状で、その厚みが連結駒４よりも薄く形成されている。この連結上駒片１５におけるバンド駒１の連結方向に位置する両側部には、連結ピン２が挿入するピン挿入孔４ａ、４ｂがそれぞれ設けられている。
【００２８】
また、この連結上駒片１５におけるほぼ対角線上に位置する個所には、図５（ｂ）および図５（ｃ）に示すように、複数の嵌合穴１７がそれぞれピン挿入孔４ａ、４ｂに対して偏った位置で、かつピン挿入孔４ａ、４ｂに対して直交する状態で交差して設けられている。すなわち、複数の嵌合穴１７は、連結上駒片１５の下面から各ピン挿入孔４ａ、４ｂに向けて垂直に形成されている。
【００２９】
この場合、複数の嵌合穴１７は、図５（ｂ）に示すように、その中心軸が各ピン挿入孔４ａ、４ｂの中心軸からずれた状態で、各ピン挿入孔４ａ、４ｂに交差するように形成されている。これにより、複数の嵌合穴１７は、その一部が各ピン挿入孔４ａ、４ｂの各半分程度に食い込むように形成されている。また、これら複数の嵌合穴１７は、連結上駒片１５の上面に突き抜けないように形成されている。
【００３０】
一方、連結下駒片１６は、図６（ａ）〜図６（ｃ）に示すように、その形状が連結駒４と同じ形状で、その厚みが連結上駒片１５よりも薄く形成されている。この連結下駒片１６の上面には、連結上駒片１５の各嵌合穴１７にそれぞれ嵌合する複数の嵌合突起部１８が上方に突出して形成されている。これら複数の嵌合突起部１８は、それぞれ円柱状に形成されている。
【００３１】
また、複数の嵌合突起部１８の外周面には、図６（ａ）〜図６（ｃ）に示すように、複数の係止凹部１９が各ピン挿入孔４ａ、４ｂにそれぞれ対応して設けられている。すなわち、複数の係止凹部１９は、半円形状の切欠き溝であり、図８および図９に示すように、複数の嵌合突起部１８が連結上駒片１５の各嵌合穴１７にそれぞれ嵌合した際に、連結上駒片１５の各ピン挿入孔４ａ、４ｂに対応するように構成されている。
【００３２】
このため、これら複数の係止凹部１９は、図８および図９に示すように、複数の嵌合突起部１８が連結上駒片１５の各嵌合穴１７にそれぞれ嵌合した状態で、連結上駒片１５の各ピン挿入孔４ａ、４ｂに連結ピン２が挿入された際に、この連結ピン２を係止するように構成されている。これにより、連結駒４は、連結上駒片１５の各ピン挿入孔４ａ、４ｂに挿入された連結ピン２によって、連結上駒片１５と連結下駒片１６とが一体的に連結されて固定されるように構成されている。
【００３３】
このように、連結駒４の連結固定部２１は、図８および図９に示すように、連結上駒片１５に設けられ、ピン挿入孔４ａ、４ｂに対して直交する状態で交差する複数の嵌合穴１７と、連結下駒片１６に設けられて複数の嵌合穴１７にそれぞれ嵌合する複数の嵌合突起部１８と、これら複数の嵌合突起部１８におけるピン挿入孔４ａ、４ｂに対応する個所にそれぞれ設けられて連結ピン２を係止する複数の係止凹部１９とで構成されている。
【００３４】
次に、このような時計バンドの作用について説明する。
この時計バンドを組み立てる場合には、予め、バンド駒１の本体駒３と連結駒４とを個別に組み立てる。すなわち、本体駒３を組み立てる場合には、本体下駒片１１に設けられた複数の嵌合突起部１３を本体上駒片１０に設けられた複数の嵌合穴１２に下側から嵌め込む。
【００３５】
これにより、本体下駒片１１の各嵌合突起部１３の係止凹部１４が本体上駒片１０のピン挿入孔３ａ、３ｂに対応した状態で、本体上駒片１０の下面に本体下駒片１１が組み付けられる。この状態では、本体下駒片１１の各嵌合突起部１３が本体上駒片１０のピン挿入孔３ａ、３ｂ内に突出することがなく、本体上駒片１０のピン挿入孔３ａ、３ｂが貫通するため、連結ピン２がピン挿入孔３ａ、３ｂに挿入可能な状態になる。
【００３６】
また、連結駒４を組み立てる場合には、連結下駒片１６に設けられた複数の嵌合突起部１８を連結上駒片１５に設けられた複数の嵌合穴１７に下側から嵌め込む。これにより、連結本体下駒片１６の各嵌合突起部１８の係止凹部１９が連結上駒片１５のピン挿入孔４ａ、４ｂに対応した状態で、連結上駒片１５の下面に連結下駒片１６が組み付けられる。この状態では、連結下駒片１６の各嵌合突起部１８が連結上駒片１５のピン挿入孔４ａ、４ｂ内に突出することがなく、連結上駒片１５のピン挿入孔４ａ、４ｂが貫通するため、連結ピン２がピン挿入孔４ａ、４ｂに挿入可能な状態になる。
【００３７】
そして、本体駒３と連結駒４とを連結する場合には、まず、連結駒４の各ピン挿入孔４ａ、４ｂ内に抜止めパイプ９をそれぞれ挿入し、この連結駒４の一側部を本体駒３の一方の駒装着凹部７に配置する。このときには、本体駒３のピン挿入孔３ａに連結駒４のピン挿入孔４ａを同一軸上に対応させる。
【００３８】
この状態で、連結ピン２を本体駒３の一方のピン挿入孔３ａから連結駒４のピン挿入孔４ａに挿入させる共に、抜止めパイプ９に挿入させて、本体駒３の他方のピン挿入孔３ａに挿入させる。これにより、連結ピン２が抜止めパイプ９によって連結駒４のピン挿入孔４ａ内に固定されて抜け出することがなく、本体駒３と連結駒４とが連結される。
【００３９】
このときには、本体駒３の本体下駒片１１に設けられた各嵌合突起部１３の各係止凹部１４が本体上駒片１０のピン挿入孔３ａに対応しているので、これら各嵌合突起部１３の各係止凹部１４に連結ピン２が挿入して係止される。このため、本体下駒片１１の各嵌合突起部１３が本体上駒片１０の各嵌合穴１２内に連結ピン２によって固定されて、本体上駒片１０の下面に本体下駒片１１が固定される。
【００４０】
また、このときには、連結駒４の連結本体下駒片１６に設けられた各嵌合突起部１８の各係止凹部１９が連結上駒片１５のピン挿入孔４ａに対応しているので、これら各嵌合突起部１８の各係止凹部１９に連結ピン２が挿入して係止される。このため、連結下駒片１６の各嵌合突起部１８が連結上駒片１５の各嵌合穴１７内に連結ピン２によって固定されて、連結上駒片１５の下面に連結下駒片１６が固定される。
【００４１】
そして、本体駒３に連結された連結駒４に他の本体駒３を連結する場合には、連結駒４の他側部を、これに隣接する他の本体駒３の他方の駒装着凹部８に配置本体駒３のピン挿入孔３ｂに連結駒４のピン挿入孔４ｂを同一軸上に対応させる。この状態で、連結ピン２を本体駒３の一方のピン挿入孔３ｂから連結駒４のピン挿入孔４ｂに挿入させる共に、抜止めパイプ９に挿入させて、本体駒３の他方のピン挿入孔３ｂに挿入させる。
【００４２】
これにより、連結ピン２が抜止めパイプ９によって連結駒４のピン挿入孔４ｂ内に固定されて抜け出することがなく、本体駒３と連結駒４とが連結される。このときにも、本体駒３の本体下駒片１１に設けられた各嵌合突起部１３の各係止凹部１４が本体上駒片１０のピン挿入孔３ｂに対応しているので、これら各嵌合突起部１３の各係止凹部１４に連結ピン２が挿入して係止される。このため、本体下駒片１１の各嵌合突起部１３が本体上駒片１０の各嵌合穴１２内に連結ピン２によって固定されて、本体上駒片１０の下面に本体下駒片１１が固定される。
【００４３】
また、このときにも、連結駒４の連結本体下駒片１６に設けられた各嵌合突起部１８の各係止凹部１９が連結上駒片１５のピン挿入孔４ｂに対応しているので、これら各嵌合突起部１８の各係止凹部１９に連結ピン２が挿入して係止される。このため、連結下駒片１６の各嵌合突起部１８が連結上駒片１５の各嵌合穴１７内に連結ピン２によって固定されて、連結上駒片１５の下面に連結下駒片１６が固定される。このようにして、バンド駒１が順次連結されて、時計バンドが組み立てられる。
【００４４】
このように、この時計バンドによれば、連結ピン２によって順次連結されるバンド駒１が本体駒３と連結駒４とを有し、これら本体駒３と連結駒４とは、連結ピン２が挿入するピン挿入孔３ａ、３ｂ、４ａ、４ｂが設けられた本体上駒片１０および連結上駒片１５と、この本体上駒片１０および連結上駒片１５の下部に取り付けられる本体下駒片１１および連結下駒片１６とを有し、各上駒片１０、１５と各下駒片１１、１６とが、これらを連結ピン２によって連結する際に、その連結ピン２によって各上駒片１０、１５と各下駒片１１、１６とを連結して固定する各連結固定部２０、２１を備えているので、材質や色彩のバリエーションが豊富で、自由にバンド駒１の材質や色彩を選択して組み合わせることができる。
【００４５】
すなわち、この時計バンドでは、バンド駒１同士を順次連結ピン２で連結する際に、各連結固定部２０、２１によって各上駒片１０、１５と各下駒片１１、１６とを確実に連結固定してバンド駒１の本体駒３と連結駒４とを形成することができるので、バンド駒１の本体駒３と連結駒４とを順次連結ピン２で連結する際に、各上駒片１０、１５の材質と各下駒片１１、１６の材質とを自由に選択することができ、これによりバンド駒１の本体駒３と連結駒４との材質および色彩を自由に組み合わせることができるので、材質や色彩のバリエーションが豊富になる。
【００４６】
また、この時計バンドでは、バンド駒１の本体駒３が本体上駒片１０と本体下駒片１１とからなり、これら本体上駒片１０と本体下駒片１１とにバンド駒１の連結方向に位置する両側に駒装着部７、８が設けられており、連結駒４が連結上駒片１５と連結下駒片１６とからなり、これら連結上駒片１５と連結下駒片１６とが本体駒３の一方に位置する駒装着部７とこれに隣接する他の本体駒３の他方に位置する駒装着部８の間に配置される構成であるから、本体駒３の一方に位置する駒装着部７とこれに隣接する他の本体駒３の他方に位置する駒装着部８の間に連結駒４を配置させた状態で連結ピン２によって容易にかつ確実に連結することができる。
【００４７】
この場合、本体駒３の連結固定部２０は、本体上駒片１０に設けられ、かつピン挿入孔３ａ、３ｂに偏った位置でピン挿入孔３ａ、３ｂに対して直交する状態で交差する複数の嵌合穴１２と、本体下駒片１１に設けられて複数の嵌合穴１２にそれぞれ嵌合する複数の嵌合突起部１３と、これら複数の嵌合突起部１３におけるピン挿入孔３ａ、３ｂに対応する個所にそれぞれ設けられて連結ピン２を係止する複数の係止凹部１４とを備えているので、本体駒３と連結駒４とを連結ピン２によって連結する際に、その連結ピン２を本体下駒片１１の複数の係止凹部１４で係止することができ、これにより本体上駒片１０と本体下駒片１１とを確実にかつ良好に固定することができる。
【００４８】
また、連結駒４の連結固定部２１は、連結上駒片１５に設けられ、かつピン挿入孔４ａ、４ｂに偏った位置でピン挿入孔４ａ、４ｂに対して直交する状態で交差する複数の嵌合穴１７と、連結下駒片１６に設けられて複数の嵌合穴１７にそれぞれ嵌合する複数の嵌合突起部１８と、これら複数の嵌合突起部１８におけるピン挿入孔４ａ、４ｂに対応する個所にそれぞれ設けられて連結ピン２を係止する複数の係止凹部１９とを備えているので、本体駒３と連結駒４とを連結ピン２によって連結する際に、その連結ピン２を連結下駒片１６の複数の係止凹部１９で係止することができ、これにより連結上駒片１５と連結下駒片１６とを確実にかつ良好に固定することができる。
【００４９】
この場合、本体駒３の本体上駒片１０と連結駒４の連結上駒片１５とは、それぞれステンレスなどの金属で形成され、本体駒３の本体下駒片１１と連結駒４の連結下駒片１６とは、それぞれウレタン樹脂などの軟質の合成樹脂によって形成されていることにより、本体駒３と連結駒４とを上下で異なる材質で形成することができるので、デザイン的なバリエーションが豊富になり、デザイン的に好ましいものを提供することができる。
【００５０】
例えば、本体駒３と連結駒４とを順次連結して時計バンドを構成し、この時計バンドを腕に取り付けて使用する際には、各上駒片１０、１５の金属によって金属調のデザインを表現することができる。これにより、高級感のあるものを提供することができるほか、各下駒片１１、１６の軟質の合成樹脂によって腕にフィットさせ易くすることができると共に、金属のような冷たさを腕に感じさせないようにすることができる。
【００５１】
（第２実施形態）
次に、図１０〜図１６を参照して、この発明を時計バンドに適用した第２実施形態について説明する。なお、図１〜図９に示された第１実施形態と同一部分には同一符号を付して説明する。
この時計バンドは、図１０および図１１に示すように、複数のバンド駒３０を連結ピン２によって順次連結された構成であり、これ以外は第１実施形態とほぼ同じ構成になっている。
【００５２】
バンド駒３０は、図１０、図１１および図１４に示すように、その連結方向に位置する一側部に連結凸部３１が設けられ、かつ他側部にこれに隣接する他のバンド駒３０の連結凸部３１が挿入する連結凹部３２が設けられた構成になっている。これにより、このバンド駒３０は、その連結凹部３２にこれと隣接する他のバンド駒３０の連結凸部３１を挿入させた状態で連結ピン２によって連結されるように構成されている。
【００５３】
また、このバンド駒３０は、図１１に示すように、ステンレスなどの金属からなる上駒片３３と、ウレタン樹脂などの軟質の合成樹脂からなる下駒片３４とを有している。このバンド駒３０は、バンド駒３０同士を連結ピン２によって連結する際に、上駒片３３と下駒片３４とが連結ピン２によって上駒片３３と下駒片３４とを連結して固定する後述する連結固定部４１を備えている。
【００５４】
すなわち、上駒片３３は、図１２（ａ）〜図１２（ｃ）に示すように、その形状がバンド駒３０と同じ形状で、その厚みがバンド駒３０よりも薄く形成されている。この上駒片３３における連結凸部３１に対応する個所には、連結ピン２が挿入するピン挿入孔３３ａが設けられている。
【００５５】
また、この上駒片３３における連結凸部３１に対応する個所には、図１２（ｂ）および図１２（ｃ）に示すように、複数の嵌合穴３５がそれぞれピン挿入孔３３ａに対して偏った位置で、かつピン挿入孔３３ａに対して直交する状態で交差して設けられている。すなわち、複数の嵌合穴３５は、上駒片３３の下面からピン挿入孔３３ａに向けて垂直に形成されている。
【００５６】
この場合、複数の嵌合穴３５は、図１２（ｂ）に示すように、その中心軸がピン挿入孔３３ａの中心軸からずれた状態で、各ピン挿入孔３３ａに交差するように形成されている。これにより、複数の嵌合穴３５は、その一部がピン挿入孔３３ａの各半分程度に食い込むように形成されている。また、これら複数の嵌合穴３５は、上駒片３３の上面に突き抜けないように形成されている。
【００５７】
また、この上駒片３３における連結凹部３２の両側に位置する個所には、図１２（ｂ）および図１２（ｃ）に示すように、連結ピン２が挿入するピン挿入孔３３ｂが設けられている。この上駒片３３における連結凹部３２の両側に位置する個所にも、複数の嵌合穴３６がそれぞれピン挿入孔３３ｂに対して偏った位置で、かつピン挿入孔３３ｂに対して直交する状態で交差して設けられている。すなわち、複数の嵌合穴３６は、上駒片３３の下面からピン挿入孔３３ｂに向けて垂直に形成されている。
【００５８】
この場合、複数の嵌合穴３６も、図１２（ｂ）に示すように、その中心軸が各ピン挿入孔３３ｂの中心軸からずれた状態で、ピン挿入孔３３ｂに交差するように形成されている。これにより、複数の嵌合穴３６は、その一部がピン挿入孔３３ｂの各半分程度に食い込むように形成されている。また、これら複数の嵌合穴３６は、上駒片３３の上面に突き抜けないように形成されている。
【００５９】
一方、下駒片３４は、図１３（ａ）〜図１３（ｃ）に示すように、その形状がバンド駒３０と同じ形状で、その厚みが上駒片３３よりも薄く形成されている。この下駒片３４における連結凸部３１に対応する個所の上面には、上駒片３３の各嵌合穴３５にそれぞれ嵌合する複数の嵌合突起部３７が上方に突出して形成されている。これら複数の嵌合突起部３７は、それぞれ円柱状に形成されている。
【００６０】
また、複数の嵌合突起部３７の外周面には、図１３（ｂ）に示すように、複数の係止凹部３８がピン挿入孔３３ａにそれぞれ対応して設けられている。すなわち、複数の係止凹部３８は、半円形状の切欠き溝であり、図１５および図１６に示すように、複数の嵌合突起部３７が上駒片３３の各嵌合穴３５にそれぞれ嵌合した際に、上駒片３３のピン挿入孔３３ａに対応するように構成されている。
【００６１】
このため、これら複数の係止凹部３８は、図１５および図１６に示すように、複数の嵌合突起部３７が上駒片３３の各嵌合穴３５にそれぞれ嵌合した状態で、上駒片３３のピン挿入孔３３ａに連結ピン２が挿入された際に、この連結ピン２を係止するように構成されている。これにより、バンド駒３０の連結凸部３１は、上駒片３３のピン挿入孔３３ａに挿入された連結ピン２によって、上駒片３３と下駒片３４とが一体的に連結されて固定されるように構成されている。
【００６２】
また、下駒片３４における連結凹部３２の両側に位置する個所には、図１３（ａ）〜図１３（ｃ）に示すように、上駒片３３の各嵌合穴３６にそれぞれ嵌合する複数の嵌合突起部３９が上方に突出して形成されている。これら複数の嵌合突起部３９は、それぞれ円柱状に形成されている。
【００６３】
また、複数の嵌合突起部３９の外周面には、図１３（ｂ）に示すように、複数の係止凹部４０がピン挿入孔３３ｂにそれぞれ対応して設けられている。すなわち、複数の係止凹部４０は、半円形状の溝であり、図１５および図１６に示すように、複数の嵌合突起部３９が上駒片３３の各嵌合穴３６にそれぞれ嵌合した際に、上駒片３３のピン挿入孔３３ｂに対応するように構成されている。
【００６４】
このため、これら複数の係止凹部４０は、図１５および図１６に示すように、複数の嵌合突起部３９が上駒片３３の各嵌合穴３６にそれぞれ嵌合した状態で、上駒片３３のピン挿入孔３３ｂに連結ピン２が挿入された際に、この連結ピン２を係止するように構成されている。これにより、バンド駒３０の連結凹部３２は、上駒片３３のピン挿入孔３３ｂに挿入された連結ピン２によって、上駒片３３と下駒片３４とが一体的に連結されて固定されるように構成されている。
【００６５】
このように、バンド駒３０の連結固定部４１は、図１５および図１６に示すように、上駒片３３に設けられ、ピン挿入孔３３ａ、３３ｂに対して直交する状態で交差する複数の嵌合穴３５、３６と、下駒片３４に設けられて複数の嵌合穴３５、３６にそれぞれ嵌合する複数の嵌合突起部３７、３９と、これら複数の嵌合突起部３７、３９におけるピン挿入孔３３ａ、３３ｂに対応する個所にそれぞれ設けられて連結ピン２を係止する複数の係止凹部３８、４０とで構成されている。
【００６６】
次に、このような時計バンドの作用について説明する。
この時計バンドを組み立てる場合には、予め、バンド駒３０の上駒片３３と下駒片３４とを重ね合わせてバンド駒３０を組み立てる。このときには、下駒片３４に設けられた複数の嵌合突起部３７、３９を上駒片３３に設けられた複数の嵌合穴３５、３６に下側から嵌め込む。
【００６７】
これにより、下駒片３４の各嵌合突起部３７、３９の係止凹部３８、４０が上駒片３３のピン挿入孔３３ａ、３３ｂに対応した状態で、上駒片３３の下面に下駒片３４が組み付けられる。この状態では、下駒片３４の各嵌合突起部３７、３９が上駒片３３のピン挿入孔３３ａ、３３ｂ内に突出することがなく、上駒片３３のピン挿入孔３３ａ、３３ｂが貫通するため、連結ピン２がピン挿入孔３３ａ、３３ｂに挿入可能な状態になる。
【００６８】
そして、バンド駒３０同士を連結する場合には、予め、複数のバンド駒３０の各連結凸部３１に設けられたピン挿入孔３３ａ内に抜止めパイプ９をそれぞれ挿入する。この状態で、バンド駒３０の連結凹部３２に、これに隣接する他のバンド駒３０の連結凸部３１を配置する。このときには、バンド駒３０の連結凹部３２のピン挿入孔３３ｂに他のバンド駒３０の連結凸部３１のピン挿入孔３３ａを同一軸上に対応させる。
【００６９】
この状態で、連結ピン２をバンド駒３０の連結凹部３２のピン挿入孔３３ｂから他のバンド駒３０の連結凸部３１のピン挿入孔３３ａに挿入させると共に、抜止めパイプ９に挿入させて、バンド駒３０の連結凹部３２のピン挿入孔３３ｂに挿入させる。これにより、連結ピン２が抜止めパイプ９によって他のバンド駒３０の連結凸部３１のピン挿入孔３３ａ内に固定されて抜け出することがなく、バンド駒３０の連結凹部３２と他のバンド駒３０連結凸部３１とが連結される。
【００７０】
このときには、バンド駒３０の下駒片３４に設けられた各嵌合突起部３７、３９の各係止凹部３８、４０がバンド駒３０の上駒片３３の各ピン挿入孔３３ａ、３３ｂに対応しているので、これら各嵌合突起部３７、３９の各係止凹部３８、４０に連結ピン２が挿入して係止される。このため、下駒片３４の各嵌合突起部３７、３９が上駒片３３の各嵌合穴３５、３６内に連結ピン２によって固定されて、上駒片３３の下面に下駒片３４が固定される。このようにして、複数のバンド駒３０が順次連結されて、時計バンドが組み立てられる。
【００７１】
このように、この時計バンドによれば、連結ピン２によって順次連結されるバンド駒３０が、上駒片３３と下駒片３４とを有し、上駒片３３には連結ピン２が挿入するピン挿入孔３３ａ、３３ｂが設けられ、この上駒片３３とこの下部に配置される下駒片３４とは、バンド駒３０同士を連結ピン２によって連結する際に、その連結ピン２によって上駒片３３と下駒片３４とを連結して固定する連結固定部４１を備えていることにより、材質や色彩のバリエーションが豊富で、自由にバンド駒３０の材質や色彩を選択して組み合わせることができる．
【００７２】
すなわち、この時計バンドでは、バンド駒３０同士を順次連結ピン２で連結する際に、連結固定部４１によって上駒片３３と下駒片３４とを確実に連結固定してバンド駒３０を形成することができるので、バンド駒３０を順次連結ピン２で連結する際に、上駒片３３の材質と下駒片３４の材質とを自由に選択することができ、これによりバンド駒３０の材質および色彩を自由に組み合わせることができるので、材質や色彩のバリエーションが豊富になる。
【００７３】
この場合、バンド駒３０は、その連結方向に位置する上駒片３３と下駒片３４との一側部に連結凸部３１が設けられ、かつ上駒片３３と下駒片３４との他側部にこれに隣接する他のバンド駒３０の連結凸部３１が挿入する連結凹部３２が設けられた構成であるから、バンド駒３０の連結凹部３２にこれと隣接する他のバンド駒３０の連結凸部３１を挿入させた状態で連結ピン２によって容易にかつ確実に連結することができ、これによりバンド駒３０同士を連結することができると共に、バンド駒３０の上駒片３３と下駒片３４とを確実にかつ強固に固定することができる。
【００７４】
すなわち、バンド駒３０の連結固定部４１は、上駒片３３に設けられ、ピン挿入孔３３ａ、３３ｂに偏った位置でピン挿入孔３３ａ、３３ｂに対して直交する状態で交差する複数の嵌合穴３５、３６と、下駒片３４に設けられて複数の嵌合穴３５、３６にそれぞれ嵌合する複数の嵌合突起部３７、３９と、これら複数の嵌合突起部３７、３９におけるピン挿入孔３３ａ、３３ｂに対応する個所にそれぞれ設けられて連結ピン２を係止する複数の係止凹部３８、４０とを備えているので、バンド駒３０同士を連結ピン２によって連結する際に、その連結ピン２を下駒片３４の複数の係止凹部３８、４０で係止することができ、これにより上駒片３３と下駒片３４とを確実にかつ良好に固定することができる。
【００７５】
この場合、バンド駒０３の上駒片３３は、ステンレスなどの金属で形成され、バンド駒３０の下駒片３４は、ウレタン樹脂などの軟質の合成樹脂によって形成されていることにより、第１実施形態と同様、バンド駒３０を異なる材質で形成することができるので、デザイン的なバリエーションが豊富になり、デザイン的に好ましいものを提供することができる。
【００７６】
例えば、バンド駒３０を順次連結して時計バンドを構成し、この時計バンドを腕に取り付けて使用する際には、第１実施形態と同様、上駒片３３の金属によって金属調のデザインを表現することができる。これにより、高級感のあるものを提供することができるほか、各下駒片３４の軟質の合成樹脂によって腕にフィットさせ易くすることができると共に、金属のような冷たさを腕に感じさせないようにすることができる。
【００７７】
なお、上述した第１、第２の各実施形態では、下駒片１１、１６、３４に複数の嵌合突起部１３、１８、３７、３９を同じ合成樹脂で一体に形成した場合について述べたが、これに限らず、例えば図１７（ａ）および図１７（ｂ）に示す第１変形例のように、複数の嵌合突起部４５を金属で形成して下駒片４６にインサート成型によって一体的に形成しても良く、また異なる合成樹脂または異なる色の合成樹脂で２色成型しても良い。この場合にも、各嵌合突起部４５の外周面に連結ピン２を係止する係止凹部４７を設ければ良い。
【００７８】
また、上述した第１、第２の各実施形態およびその変形例では、下駒片１１、１６、３４に設けられた複数の嵌合突起部１３、１８、３７、３９に、連結ピン２を係止する係止凹部１４、１９、３８、４０を設けた場合について述べたが、これに限らず、例えば図１８（ａ）および図１８（ｂ）に示す第２変形例のように、下駒片４６に一体的に形成された各嵌合突起部４８の中心に連結ピン２が挿入するピン係止孔４９を設けた構成であっても良い。この場合には、上駒片（図示せず）に設けられたピン挿入孔の軸中心に対して嵌合穴の軸中心を一致させた状態で、上駒片にピン挿入孔および嵌合穴を形成すれば良い。
【００７９】
さらに、上述した第１、第２の各実施形態およびその各変形例では、下駒片１１、１６、３４に設けられた複数の嵌合突起部１３、１８、３７、３９が円柱状に形成されている場合について述べたが、これに限らず、例えば図１９（ａ）および図１９（ｂ）に示す第３変形例のように、下駒片４６に一体的に形成された嵌合突起部５０を両端が円弧状の板状に形成された構成であっても良い。この場合にも、各嵌合突起部５０の外周面に連結ピン２を係止する係止凹部５１を設ければ良い。
【００８０】
なおまた、第１、第２の各実施形態およびその各変形例では、時計バンドに適用した場合について述べたが、必ずしも時計バンドである必要はなく、腕に装着して使用するものであれば、腕装着型の脈拍計や血圧計などのバンド、あるいは腕輪などにも適用することができるほか、必ずしも腕に装着して使用するものである必要はなく、バンドとして使用できるものであれば、どのようなものにも適用することができる。
【００８１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８２】
（付記）
請求項１に記載の発明は、バンド駒同士を連結ピンによって順次連結してなるバンドにおいて、前記バンド駒は、前記連結ピンが挿入するピン挿入孔が前記バンド駒の連結方向に対して直交する方向に貫通して設けられた上駒片と、この上駒片の下部に取り付けられる下駒片とを有し、前記上駒片と前記下駒片とは、前記バンド駒同士を前記連結ピンによって連結する際に、当該連結ピンによって前記上駒片と前記下駒片とを連結して固定する連結固定部を備えていることを特徴とするバンドである。
【００８３】
請求項２に記載の発明は、請求項１に記載のバンドにおいて、前記連結固定部は、前記上駒片に設けられ、前記ピン挿入孔に対して直交する状態で交差する複数の嵌合穴と、前記下駒片に設けられて前記複数の嵌合穴にそれぞれ嵌合する複数の嵌合突起部と、これら複数の嵌合突起部における前記ピン挿入孔に対応する個所にそれぞれ設けられて前記連結ピンを係止する複数の係止部とを備えていることを特徴とするバンドである。
【００８４】
請求項３に記載の発明は、請求項２に記載のバンドにおいて、前記複数の嵌合穴は、前記ピン挿入孔の軸中心に対して偏った位置で、前記ピン挿入孔に交差した状態で設けられており、前記複数の係止部は、前記連結ピンの一部が挿入する切欠き部であることを特徴とするバンドである。
【００８５】
請求項４に記載の発明は、請求項１〜請求項３のいずれかに記載のバンドにおいて、前記上駒片は金属で形成され、前記下駒片は合成樹脂で形成されていることを特徴とするバンドである。
【００８６】
請求項５に記載の発明は、請求項１〜請求項４のいずれかに記載のバンドにおいて、前記バンド駒は、その連結方向に位置する両側に駒装着部が設けられた本体駒と、この本体駒の一方に位置する駒装着部およびこれに隣接する他の本体駒の他方に位置する前記駒装着部の間に配置される連結駒とを有し、前記本体駒と前記連結駒とはそれぞれ前記上駒片と前記下駒片とからなり、前記本体駒と前記連結駒とが前記連結ピンによって順次連結されていることを特徴とするバンドである。
【００８７】
請求項６に記載の発明は、請求項１〜請求項４のいずれかに記載のバンドにおいて、前記バンド駒は、その連結方向に位置する前記上駒片と前記下駒片との一側部に連結凸部が設けられ、かつ前記上駒片と前記下駒片との他側部にこれに隣接する他の前記バンド駒の前記連結凸部が挿入する連結凹部が設けられ、前記連結凹部にこれと隣接する前記他のバンド駒の前記連結凸部を挿入させた状態で前記連結ピンによって連結されていることを特徴とするバンドである。
【符号の説明】
【００８８】
１、３０  バンド駒
２  連結ピン
３  本体駒
３ａ、３ｂ  ピン挿入孔
４  連結駒
４ａ、４ｂ  ピン挿入孔
１０  本体上駒片
１１  本体下駒片
１２、１７、３５、３６  嵌合穴
１３、１８、３７、３９、４５、４８、５０  嵌合突起部
１４、１９、３８、４０、４７、５１  係止凹部
１５  連結上駒片
１６  連結下駒片
２０、２１、４１  連結固定部
３１  連結凸部
３２  連結凹部
３３  上駒片
３３ａ、３３ｂ  ピン挿入孔
３４、４６  下駒片
４９  ピン係止孔
【図１】
2015029806.tif 000003
【図２】
2015029806.tif 000004
【図３】
2015029806.tif 000005
【図４】
2015029806.tif 000006
【図５】
2015029806.tif 000007
【図６】
2015029806.tif 000008
【図７】
2015029806.tif 000009
【図８】
2015029806.tif 000010
【図９】
2015029806.tif 000011
【図１０】
2015029806.tif 000012
【図１１】
2015029806.tif 000013
【図１２】
2015029806.tif 000014
【図１３】
2015029806.tif 000015
【図１４】
2015029806.tif 000016
【図１５】
2015029806.tif 000017
【図１６】
2015029806.tif 000018
【図１７】
2015029806.tif 000019
【図１８】
2015029806.tif 000020
【図１９】
2015029806.tif 000021